(57)【要約】      （修正有）【課題】軽くて丈夫で精度に優れ、反転させることなく品物を入れた状態のまま同方向に積み上げることができ、嵌め替えが自在で、色々な品物に対応することができる嵌め替え式トレーを提供する。【解決手段】真空成形或いは射出成形による薄物トレーであって、品物を収容するための品物用トレー１０と、該品物用トレー１０に対して嵌め替え自在に嵌め合わされる補強用トレー２０とからなり、補強用トレー２０を品物用トレー１０に対して下方から着脱自在に嵌め合わせて重合させる構成とした。【選択図】図５
0003223389.tif 000002
【実用新案登録請求の範囲】
【請求項１】
真空成形或いは射出成形による薄物トレーであって、品物を収容するための品物用トレーと、該品物用トレーに対して嵌め替え自在に嵌め合わされる補強用トレーとからなり、
前記補強用トレーを前記品物用トレーに対して下方から着脱自在に嵌め合わせて重合させる構成としてあることを特徴とする嵌め替え式トレー。
【請求項２】
品物用トレーには、実際に品物を載置する１乃至複数の載置部を備えた容器部と、該容器部の周囲に構成されるフランジ部とを設け、
補強用トレーには、前記品物用トレーの容器部を収容する容器部と、該容器部の周囲に構成されるフランジ部とを設け、
且つ品物用トレーのフランジ部と補強用トレーのフランジ部とには、補強用トレーを品物用トレーに下から嵌め合わせたときに、両者が丁度重なるための対状の嵌合用凹凸部を設けていることを特徴とする請求項１に記載の嵌め替え式トレー。
【請求項３】
品物用トレーと補強用トレーとには、両者を嵌合させる際に横方向のズレを防止するための横ズレ防止手段を設けていることを特徴とする請求項１又は２に記載の嵌め替え式トレー。
【請求項４】
横ズレ防止手段は、品物用トレーと補強用トレーの各フランジ部にそれぞれ設けられた対状の第１係止段部からなることを特徴とする請求項３に記載の嵌め替え式トレー。
【請求項５】
第１係止段部は、フランジ部の周囲に亘って設けてあることを特徴とする請求項４に記載の嵌め替え式トレー。
【請求項６】
横ズレ防止手段は、品物用トレーと補強用トレーの各フランジ部の外縁からそれぞれ下方に延長された対状のスカート部からなることを特徴とする請求項３の記載の嵌め替え式トレー。
【請求項７】
補強用トレーの容器部の側壁及び底壁と、品物用トレーの容器部の側壁及び底壁とは、補強用トレーを品物用トレーに下方から嵌め合わせたときに、それぞれ相互に近接して配置されるよう構成してあることを特徴とする請求項２〜６の何れかに記載の嵌め替え式トレー。
【請求項８】
品物用トレーのフランジ部には、補強用トレーを前記品物用トレーの上に載せたときに、補強用トレーの容器部の一部と係合する第２係止段部を設け、
前記補強用トレーの容器部には、該補強用トレーを品物用トレーの上に載せたときに、前記品物用トレーの第２係止段部と係合する拡張底部を容器部の一部として設けてあることを特徴とする請求項２〜７の何れかに記載の嵌め替え式トレー。
【請求項９】
第２係止段部は、品物用トレーの容器部のフランジ部の周囲に分散して複数箇所に設けており、
補強用トレーの容器部の拡張底部は、補強用トレーの容器部の周囲に分散して複数箇所に設けてあることを特徴とする請求項８に記載の嵌め替え式トレー。
【請求項１０】
品物用トレー及び補強用トレーは正方形状若しくは長方形状とし、正方形状若しくは長方形状の容器部の四辺の周囲にフランジ部を設け、対状の嵌合用凹凸部はフランジ部の周囲に分散して複数対設けてあることを特徴とする請求項２〜９の何れかに記載の嵌め替え式トレー。
【請求項１１】
嵌合用凹凸部は、矩形柱状凹部と、該矩形柱状凹部に内接する寸法の円柱状凸部とからなることを特徴とする請求項２〜１０の何れかに記載の嵌め替え式トレー。
【請求項１２】
品物用トレーと補強用トレーは、プラスチックを有効成分とする材料を用いて成形してあることを特徴とする請求項１〜１１の何れかに記載の嵌め替え式トレー。
【請求項１３】
品物用トレーと補強用トレーは、その何れか一方若しくは両方を、プラスチックに石灰石を混合した材料を用いて成形してあることを特徴とする請求項１２に記載の嵌め替え式トレー。
【請求項１４】
プラスチックが生分解性バイオプラスチックであることを特徴とする請求項１２又は１３に記載の嵌め替え式トレー。
【請求項１５】
品物用トレーと補強用トレーは、その何れか一方若しくは両方を、ポリオレフィン系プラスチックにコーンスターチを混合した材料を用いて成形してあることを特徴とする請求項１２に記載の嵌め替え式トレー。
【考案の詳細な説明】
【技術分野】
【０００１】
本考案は嵌め替え式トレーに関する。
【背景技術】
【０００２】
プラスチックによる真空成形トレーは、薄手で軽量であり、シャープで複雑な形状も容易に成形できるので、種々の商品の収容容器として広く使用されている。その一方、重い品物を入れると重みでトレーが反ったり、撓んだりしてしまう問題がある。また品物を入れて積み上げると、品物の上にトレーが載ってしまったりする問題もあった。またその載り揚げ防止のために、トレーを反転させる手間がかかるなどの問題があった。
そこで、軽くて丈夫で、扱い易く、自動機にも容易にかけることができる真空成形トレーが望まれていた。
【先行技術文献】
【特許文献】
【０００３】
【特許文献１】特開２００１−３５４２４１号公報
【特許文献２】特開２００３−２３４３９９号公報
【特許文献３】特開２００７−２１６９７８号公報
【考案の概要】
【考案が解決しようとする課題】
【０００４】
上記特許文献１には、上下のトレーの一方を水平方向に１８０度回転させることで、トレー間の間隙を大小変更できるようにし、これによって収容物の高さの許容度を変更して、より多種類の品物を収納できるようにした収納用トレイが開示されている。
しかしながら、特許文献１は収納用トレイの強度が向上するものではない。
上記特許文献２には、内部トレー部材（２０）と外部トレー部材（３０）とからなるＬＣＤパネル搬送用トレー（１０）が開示されている。外部トレー部材（３０）を汎用として、補強に用いることができる。
しかしながら特許文献２において、外部トレー部材（３０）は、実際にはごく単純な矩形容器であって、単なる補強容器を組み合わせたものに過ぎない。
上記特許文献３には、硬質インナトレイ（３）と、該硬質インナートレイ（３）に対して発泡樹脂材料からなるトレイ本体（２）を脱着自在に嵌合して使用するようにした搬送用トレイ（１）が開示されている。
しかしながら、この特許文献３で用いられるトレイ本体（２）は、いわゆる発泡トレイであり、どうしても肉厚が厚くなって重くなり、また材料が欠け易く、品物を入れるポケット等に混入し易い等の問題がある。
【０００５】
そこで本考案は上記従来技術の問題を解消し、一対のトレーとして軽くて丈夫で、精度に優れた嵌め替え式トレーの提供を課題とする。
またトレーを反転することなく、品物を入れた状態のままで同じ方向に積み上げることができる嵌め替え式トレーの提供を課題とする。
また一対のトレーの嵌め替えが自在で、色々な品物の種類に対してもトレーを嵌め替えることで、簡単に対応することができる嵌め替え式トレーの提供を課題とする。
また一対のトレーを分離することで、それぞれを省スペースで保管しておくことができる嵌め替え式トレーの提供を課題とする。
【課題を解決するための手段】
【０００６】
本考案の嵌め替え式トレーは、真空成形或いは射出成形による薄物トレーであって、品物を収容するための品物用トレーと、該品物用トレーに対して嵌め替え自在に嵌め合わされる補強用トレーとからなり、
前記補強用トレーを前記品物用トレーに対して下方から着脱自在に嵌め合わせて重合させる構成としてあることを第１の特徴としている。
また本考案の嵌め替え式トレーは、上記第１の特徴に加えて、品物用トレーには、実際に品物を載置する１乃至複数の載置部を備えた容器部と、該容器部の周囲に構成されるフランジ部とを設け、
補強用トレーには、前記品物用トレーの容器部を収容する容器部と、該容器部の周囲に構成されるフランジ部とを設け、
且つ品物用トレーのフランジ部と補強用トレーのフランジ部とには、補強用トレーを品物用トレーに下から嵌め合わせたときに、両者が丁度重なるための対状の嵌合用凹凸部を設けていること第２の特徴としている。
また本考案の嵌め替え式トレーは、上記第１又は第２の特徴に加えて、品物用トレーと補強用トレーとには、両者を嵌合させる際に横方向のズレを防止するための横ズレ防止手段を設けていることを第３の特徴としている。
また本考案の嵌め替え式トレーは、上記第３特徴に加えて、横ズレ防止手段は、品物用トレーと補強用トレーの各フランジ部にそれぞれ設けられた対状の第１係止段部からなることを第４の特徴としている。
また本考案の嵌め替え式トレーは、上記第４の特徴に加えて、第１係止段部は、フランジ部の周囲に亘って設けてあることを第５の特徴としている。
また本考案の嵌め替え式トレーは、上記第３の特徴に加えて、横ズレ防止手段は、品物用トレーと補強用トレーの各フランジ部の外縁からそれぞれ下方に延長された対状のスカート部からなることを第６の特徴としている。
また本考案の嵌め替え式トレーは、上記第２〜第６の何れかの特徴に加えて、補強用トレーの容器部の側壁及び底壁と、品物用トレーの容器部の側壁及び底壁とは、補強用トレーを品物用トレーに下方から嵌め合わせたときに、それぞれ相互に近接して配置されるよう構成してあることを第７の特徴としている。
また本考案の嵌め替え式トレーは、上記第２〜第７の何れかの特徴に加えて、品物用トレーのフランジ部には、補強用トレーを前記品物用トレーの上に載せたときに、補強用トレーの容器部の一部と係合する第２係止段部を設け、
前記補強用トレーの容器部には、該補強用トレーを品物用トレーの上に載せたときに、前記品物用トレーの第２係止段部と係合する拡張底部を容器部の一部として設けてあることを第８の特徴としている。
また本考案の嵌め替え式トレーは、上記第８の特徴に加えて、第２係止段部は、品物用トレーの容器部のフランジ部の周囲に分散して複数箇所に設けており、
補強用トレーの容器部の拡張底部は、補強用トレーの容器部の周囲に分散して複数箇所に設けてあることを第９の特徴としている。
また本考案の嵌め替え式トレーは、上記第２〜第９の何れかの特徴に加えて、品物用トレー及び補強用トレーは正方形状若しくは長方形状とし、正方形状若しくは長方形状の容器部の四辺の周囲にフランジ部を設け、対状の嵌合用凹凸部はフランジ部の周囲に分散して複数対設けてあることを第１０特徴としている。
また本考案の嵌め替え式トレーは、上記第２〜第１０の何れかの特徴に加えて、嵌合用凹凸部は、矩形柱状凹部と、該矩形柱状凹部に内接する寸法の円柱状凸部とからなることを第１１の特徴としている。
また本考案の嵌め替え式トレーは、上記第１〜第１１の何れかの特徴に加えて、品物用トレーと補強用トレーは、プラスチックを有効成分とする材料を用いて成形してあることを第１２の特徴としている。
また本考案の嵌め替え式トレーは、上記第１２の特徴に加えて、品物用トレーと補強用トレーは、その何れか一方若しくは両方を、プラスチックに石灰石を混合した材料を用いて成形してあることを第１３の特徴としている。
また本考案の嵌め替え式トレーは、上記第１２又は第１３の特徴に加えて、プラスチックが生分解性バイオプラスチックであることを第１４の特徴としている。
また本考案の嵌め替え式トレーは、上記第１２の特徴に加えて、品物用トレーと補強用トレーは、その何れか一方若しくは両方を、ポリオレフィン系プラスチックにコーンスターチを混合した材料を用いて成形してあることを第１５の特徴としている。
【考案の効果】
【０００７】
請求項１に記載の嵌め替え式トレーによれば、該トレーは真空成形或いは射出成形による薄物トレーからなる品物用トレーと補強用トレーとからなる。品物用トレーは品物を収容するトレーで、補強用トレーは品物用トレーに対して嵌め替え自在に嵌め合わされるトレーである。
補強用トレーを品物用トレーに対して下方から着脱自在に嵌め合せて重合させることで、両者が一体化し、トレーとしての強度が上がる。品物用トレーは品物の種類に応じて、収容し易い形状、精密な形状等を目指してトレーを構成することができ、一方、補強用トレーは品物用トレーの補強に適した形状を目指して構成することができる。従って嵌合状態にあるトレーは、品物用トレーと補強用トレーのそれぞれの利点を合算させた状態のトレーとして、品物の収容に適すると同時に、強度に優れたトレーとしての役割を発揮することができる。勿論、補強用トレーを異なる種類の品物用トレーに対して汎用とすることで、色々な種類の品物用トレーに対して共用して用いることができ、安価で使用勝手のよい嵌め替え式トレーを提供することができる。
【０００８】
請求項２に記載の嵌め替え式トレーによれば、上記請求項１に記載の構成による作用効果に加えて、品物用トレーには、実際に品物を載置する１乃至複数の載置部を備えた容器部と、その容器部の周囲に構成されるフランジ部とを設ける。補強用トレーには、前記品物用トレーの容器部を収容する容器部と、該容器部の周囲に構成されるフランジ部とからなる。
そして前記品物用トレーのフランジ部と前記補強用トレーのフランジ部とには、補強用トレーを品物用トレーに下から嵌め合わせたときに、両者が上下方向に丁度重なるための対状の嵌合用凹凸部を設けている。
前記嵌合用凹凸部が対状で品物用トレーのフランジ部と補強用トレーのフランジ部とに設けられることで、補強用トレーを品物用トレーに下から嵌め合わせたときに、前記対状の嵌合用凹凸部が上下の方向に嵌合し、上下のフランジ部が丁度重なった状態となる。勿論、このとき品物用トレーの容器部は補強用トレーの容器部に収容された状態となる。
従って請求項２に記載の嵌め替え式トレーによれば、品物用トレーに補強用トレーが嵌め合わされることで、その両者が、少なくともフランジ部において重合し、且つ凹凸嵌合により、両者の水平方向へのズレも適当に防止されるため、嵌め合わせ状態での２重構造によって品物用トレーの強度を大きく向上させることができる。
従って品物の受け入れ強度が上がり、重い品物を入れても重みでトレーが反ったり、撓んだりし難くなる。
品物用トレーと補強用トレーとは、何れも真空成形或いは射出成形による薄物トレーであるので、両者を組み合わせても重量は軽量のままで済ませることができる。またこの場合、品物用トレーはより薄くしてシャープで寸法精度のよいものとし、一方、補強用トレーは肉厚を少し厚くして補強効果を上げるようにすることも容易にできる。
そして重要なことは、品物用トレーと補強用トレーは、それぞれ用途分けされたものとして提供することができることである。即ち、品物用トレーは一定の形状的条件を満たすことを条件に、品物に応じた種々の形状のものを補強用トレーに組み合わせることができる。一方、補強用トレーは汎用として、同じ形状のものを用いて、異なる種類の品物用トレーに組み合わせることができるメリットが大きい。即ち、嵌め替え自在の多用途トレーとすることができる。
勿論、発泡トレー等を用いることもないので、材料が欠けたりして混入を起こすこともない。
【０００９】
請求項３に記載の嵌め替え式トレーによれば、上記請求項１又は２に記載の構成による作用効果に加えて、品物用トレーと補強用トレーとには、両者を嵌合させる際に横方向のズレを防止するための横ズレ防止手段を設けている。従って、この横ズレ防止手段によって、品物用トレーと補強用トレーとの嵌合時における横ズレの発生をより確実に防止することができ、より堅固な２重構造の嵌め替え式トレーを得ることができる。
【００１０】
請求項４に記載の嵌め替え式トレーによれば、上記請求項３に記載の構成による作用効果に加えて、横ズレ防止手段は、品物用トレーと補強用トレーの各フランジ部にそれぞれ設けられた対状の第１係止段部からなる。従って品物用トレーと補強用トレーの嵌合による２重構造の横ズレは、両者の各フランジ部を利用して設けた一対の第１係止段部の相互の係止により、確実に防止することができる。
【００１１】
請求項５に記載の嵌め替え式トレーによれば、上記請求項４に記載の構成による作用効果に加えて、第１係止段部は、フランジ部の周囲に亘って設けてあるので、品物用トレーと補強用トレーの嵌合による２重構造に対して、前後左右の何れの方向への横ズレに対しても確実に防止することができる。
【００１２】
請求項６に記載の嵌め替え式トレーによれば、上記請求項３に記載の構成による作用効果に加えて、横ズレ防止手段は、品物用トレーと補強用トレーの各フランジ部の外縁からそれぞれ下方に延長された対状のスカート部からなる。従って品物用トレーと補強用トレーの嵌合による２重構造の横ズレは、この一対の下方に延長されたスカート部同士の重なりによって、確実に防止することができる。
【００１３】
請求項７に記載の嵌め替え式トレーによれば、上記請求項２〜６の何れかに記載の構成による作用効果に加えて、補強用トレーの容器部の側壁及び底壁と、前記品物用トレーの容器部の側壁及び底壁とは、補強用トレーを品物用トレーに下方から嵌め合わせたときに、それぞれ相互に近接して配置されるよう構成してある。
よって品物用トレーと補強用トレーとが嵌め合わされた状態において、品物が品物用トレーの容器部の載置部に置かれることで、また品物用トレーに力が加わることで、該品物用トレーの容器部の側壁や底壁が撓んだり、歪んだりしようとしても、直ぐに近接する補強用トレーの容器部の側壁や底壁に当接することとなり、それ以上の撓みや歪みが阻止される。即ち、近接する補強用トレーの容器部の側壁や底壁によって、一層、品物用トレーの補強効果を向上させることができる。
【００１４】
請求項８に記載の嵌め替え式トレーによれば、上記請求項２〜７の何れかに記載の構成による作用効果に加えて、品物用トレーのフランジ部には、補強用トレーを前記品物用トレーの上に載せたときに、補強用トレーの容器部の一部と係合する第２係止段部を設け、前記補強用トレーの容器部には、該補強用トレーを前記品物用トレーの上に載せたときに、前記品物用トレーの第２係止段部と係合する拡張底部を容器部の一部として設けてある。この第２係止段部と拡張底部とは、品物用トレーの上に補強用トレーを載せたときに、相互に係合するように設けられている。
実際の生産現場においては、品物を収容した嵌め替え式トレーは次々と積み重ねられて行く。この場合、下の嵌め替え式トレーの品物用トレーの上に、次の嵌め替え式トレーの補強用トレーが載ることになる。
品物用トレーの上に補強用トレーが載せられる場合は、品物用トレーのフランジ部の上に補強用トレーの容器部の拡張底部が載り、且つその拡張底部が品物用トレーのフランジ部に設けた第２係止段部と係合する。これによって補強用トレーは品物用トレーに収容された品物とは接触することなく、空間的余裕をもって、品物用トレーのフランジ部の上に載り、且つ第２係止段部によって横方向のズレを阻止されて、安定する。
よって請求項８の記載の嵌め替え式トレーによれば、品物を収容した嵌め替え式トレーを積む場合も、トレーの反転作業をする等の煩わしい作業を追加することなく、そのままの状態で次々と積んで行くことができる。
【００１５】
請求項９に記載の嵌め替え式トレーによれば、上記請求項８に記載の構成による作用効果に加えて、第２係止段部は、品物用トレーの容器部のフランジ部の周囲に分散して複数箇所に設けており、補強用トレーの容器部の拡張底部は、補強用トレーの容器部の周囲に分散して複数箇所に設けてある。従って品物を収容した嵌め替え式トレーを次々と積み重ねていった場合においても、それら上下の嵌め替え式トレーが、前後左右の何れの方向へも横ズレするのを確実に防止することができる。
【００１６】
請求項１０に記載の嵌め替え式トレーによれば、上記請求項２〜９の何れかに記載の構成による作用効果に加えて、品物用トレー及び補強用トレーは正方形状若しくは長方形状とし、正方形状若しくは長方形状の容器部の四辺の周囲にフランジ部を設け、対状の嵌合用凹凸部はフランジ部の周囲に分散して複数対設け、対状の第１係止段部はフランジ部の周囲に亘って設けてある。
従って正方形状若しくは長方形状の品物用トレーと同じく正方形状若しくは長方形状の補強用トレーとを、周囲のフランジ部に分散して設けた複数対の嵌合用凹凸部により、上下方向に十分確実に重合、嵌合させることができる。
加えて、正方形状若しくは長方形状の品物用トレーと同じく正方形状若しくは長方形状の補強用トレーとを、フランジ部の周囲に亘って設けた第１係止段部により、横方向のズレを十分確実に防止した状態に安定して位置づけることができる。
【００１７】
請求項１１に記載の嵌め替え式トレーによれば、上記請求項２〜１０の何れかに記載の構成による作用効果に加えて、嵌合用凹凸部は、矩形柱状凹部と、該矩形柱状凹部に内接する寸法の円柱状凸部とからなる。
よって品物用トレーのフランジ部と補強用トレーのフランジ部とを、矩形柱状凹部とそれに内接する円柱状凸部とにより、しっかりと確実に嵌合させて重合させることができる。
【００１８】
請求項１２に記載の嵌め替え式トレーによれば、上記請求項１〜１１の何れかに記載の構成による作用効果に加えて、品物用トレーと補強用トレーは、プラスチックを有効成分とする材料を用いて成形してある。プラスチックを有効成分とする材料を用いることで、真空成形並びに射出成形が容易に行え、且つ細部に亘って正確で繊細な成形を行うことができる。プラスチック１００％の材料、プラスチックを主成分として含む材料、及びプラスチックを混ぜることによって真空成形或いは射出成形に有効に働く材料は、プラスチックを有効成分とする材料である。
【００１９】
請求項１３に記載の嵌め替え式トレーによれば、上記請求項１２に記載の構成による作用効果に加えて、品物用トレーと補強用トレーは、その何れか一方若しくは両方を、プラスチックに石灰石を混合した材料を用いて成形してあるので、トレーに含まれるプラスチックの量を減じ、石灰石で代替えすることができる。よってプラスチックゴミの問題を低減することができる。
【００２０】
請求項１４に記載の嵌め替え式トレーによれば、上記請求項１２又は１３に記載の構成による作用効果に加えて、プラスチックが生分解性バイオプラスチックであるので、石油由来のプラスチックを用いることなく、容易に分解、リサイクルができ、ゴミの問題も解消できる。
【００２１】
請求項１５に記載の嵌め替え式トレーによれば、上記請求項１２に記載の構成による作用効果に加えて、品物用トレーと補強用トレーとは、その何れか一方若しくは両方をポリオレフィン系プラスチックにコーンスターチを混合した材料を用いて成形してあるので、植物由来のコーンスターチの配合によってプラスチックの量を減らすことができ、ゴミの問題や二酸化炭素排出の問題を減じることができる。
【図面の簡単な説明】
【００２２】
【図１】本考案の実施形態に係る嵌め替え式トレーを構成する補強用トレーの斜視図である。
【図２】本考案の実施形態に係る嵌め替え式トレーを構成する補強用トレーの平面図である。
【図３】本考案の実施形態に係る嵌め替え式トレーを構成する品物用トレーの斜視図である。
【図４】本考案の実施形態に係る嵌め替え式トレーを構成する品物用トレーの平面図である。
【図５】本考案の実施形態に係る嵌め替え式トレーにおいて、品物用トレーに対して下方から補強用トレーを嵌め合わせた状態を示す平面図である。
【図６】図５のＡ−Ａ断面図である。
【図７】図５のＢ−Ｂ断面図である。
【図８】本考案の実施形態に係る嵌め替え式トレーを積み重ねたときの、図５のＡ−Ａ断面に相当する断面図である。
【図９】本考案の他の実施形態に係る嵌め替え式トレーにおいて、品物用トレーに対して下方から補強用トレーを嵌め合わせた状態を示す断面図で、図５のＡ−Ａ断面に想到する断面図である。
【図１０】本考案の他の実施形態に係る嵌め替え式トレーにおいて、品物用トレーに対して下方から補強用トレーを嵌め合わせた状態を示す断面図で、図５のＢ−Ｂ断面に想到する断面図である。
【考案を実施するための形態】
【００２３】
以下の図面を参照して、本考案の嵌め替え式トレーを説明し、本考案の理解に供する。しかし、以下の説明は本考案の実用新案登録請求の範囲に記載の考案を限定するものではない。
【００２４】
図１〜図８を参照して、嵌め替え式トレーの実施形態を説明する。
嵌め替え式トレー１は、品物を収容するための品物用トレー１０と、該品物用トレー１０を補強する補強用トレー２０とからなる。
品物用トレー１０と補強用トレー２０とは、汎用の補強用トレー２０に対して、品物の大きさや形等に応じた複数種類の品物用トレーが嵌め替え自在に嵌め合わされて使用される。
品物用トレー１０及び補強用トレー２０は、何れも真空成形或いは射出成形による薄物トレーとして構成することができる。
品物用トレー１０と補強用トレー２０は、通常においては、汎用のプラスチック、例えばＰＰ、ＰＥＴ、ＰＶＣ、ＰＳ等の一般に使用されているプラスチックを用いて成形することができるが、両者で同一材料である必要はない。
品物用トレー１０は、品物を収容する目的のトレーであるので、よりシャープな形状を得ることができる材料を用い、厚みは補強用トレー２０よりも薄くすることができる。
一方、補強用トレー２０は、品物用トレー１０を補強する目的のトレーであるので、より強度の出易い材料を用い、厚みは品物用トレー１０よりも厚くすることができる。
品物用トレー１０は、収容する品物に応じて品物収容部分の形状が変更される。
一方、補強用トレー２０は、形状が異なる複数種類の品物用トレー１０に対して、汎用的に用いることができる、汎用トレーとして構成される。
【００２５】
図１、図２を参照して、本実施形態においては、前記補強用トレー２０は長方形状に構成されており、長方形状の容器部２１と、その容器部２１の上辺の周囲に張り出した状態に構成されるフランジ部２２とを備えている。品物用トレー１０、補強用トレー２０は、例えば厚みを０．２〜１．５ｍｍ程度とすることができる。
本実施形態では、フランジ部２２の径は約２００ｍｍ×２６０ｍｍで、容器部２１の径は約１４０ｍｍ×２００ｍｍである。勿論、形状や寸法はこれに限定されるものではない。
【００２６】
前記補強用トレー２０のフランジ部２２には、嵌合用凹凸部２２１が、容器部２１の周囲に分散して設けられている。この嵌合用凹凸部２２１は、後述する品物用トレー１０の嵌合用凹凸部１２１と対状に用いられるものであり、嵌合用凹凸部１２１と相互に着脱自在に嵌合する構成とされている。
本実施形態では、補強用トレー２０の嵌合用凹凸部２２１は、円柱状凸部として構成されている。この円柱状凸部２２１の天面にはプラス形状の筋条が掘られ、強度補強がなされている。
またフランジ部２２には、横ズレ防止手段として、第１係止段部２２２が設けられている。この第１係止段部２２２は、後述する品物用トレー１０の横ズレ防止手段である第１係止段部１２２と対状に用いられるもので、第１係止段部１２２と相互に横方向（水平方向）に当接して係合することで、嵌合された状態での品物用トレー１０の横方向（水平方向）のズレを防止する役割を果たしている。
本実施形態においては、前記第１係止段部２２２は、フランジ部２２の前記嵌合用凹凸部２２１よりも外方に配置されると共に、フランジ部２２の周囲に亘って、囲繞壁の如く、外方に向かう立ち上がり段部として設けられている。
【００２７】
前記補強用トレー２０の容器部２１は、品物用トレー１０の後述する容器部１１を収容するために設けられている。容器部２１は、その側部を構成する側壁２１１と底部を構成する底壁２１２とからなる。前記側壁２１１には補強用の凹条模様２１１ａが設けられている。補強としては凸条模様であっても可能である。また底壁２１２には凸条模様２１２ａが設けられている。補強としては凹条模様であっても可能である。
前記補強用トレー２０の容器部２１の側壁２１１（２１１ａを含む）、底壁２１２（２１２ａを含む）は、品物用トレー１０の後述する容器部１１を収容した際に、該品物用トレーの容器部１１の後述する側壁１１１、底壁１１２に近接した状態となるように、その寸法が構成される。
そして補強用トレー２０の容器部２１に構成される構造として重要なのが、拡張底部２１３である。この拡張底部２１３は、容器部２１の側周の一部を側方に拡張することにより、拡張した部分の底を拡張底部２１３として構成したものである。この拡張底部２１３は、本実施形態では、長方形状の容器部２１の一対の短手側面に２箇所ずつ分散して、計４箇所に設けている。要するに、容器部２１の周囲に分散して設けるのがよい。
前記拡張底部２１３は、補強用トレー２０が品物用トレー１０の上に載るときにおいて、この拡張底部２１３だけが品物用トレー１０の後述するフランジ部１１上まで出っ張って載せることができ、補強用トレー２０の容器部２１が品物用トレー１０の容器部１１内に入り込まないようにするための構成である。この構成は、補強用トレー２０を嵌合済みの品物用トレー１０に品物を収容したときに、その品物収容済みの嵌合済みトレーを次々と積み重ねて行くときに、良好に積み重ねていけるようにするのに重要となる。
【００２８】
図３、図４を参照して、本実施形態においては、前記品物用トレー１０は、前記補強用トレー２０と同様に長方形状に構成されており、長方形状の容器部１１と、その容器部１１の上辺の周囲に張り出した状態に構成されるフランジ部１２とを備えている。
本実施形態では、フランジ部１２の径は前記補強用トレー２０のフランジ部２２の径と同程度の寸法とする。
また容器部１１の径は、補強用トレー２０を下から品物用トレー１０に嵌め合わせた際に、容器部１１が補強用トレー２０の容器部２１に丁度収容される程度の寸法としている。即ち、品物用トレー１０の容器部１１が補強用トレー２０の容器部２１に収容された状態で、補強用トレー２０の容器部２１の側壁２１１と底壁２１２とが、それぞれ品物用トレー１０の容器部１１の側壁１１１と底壁１１２に近接した状態となる寸法構成としている。
容器部１１には、品物を載置する載置部１１３が複数個、複数列に亘って設けられている。本実施形態では、容器部１１は、リブ１１４で仕切られた５つの容器空間に、載置部１１３を５個ずつ、計２５個設けた形に構成されている。
前記載置部１１３の各形状、寸法、個数等は、収納対象となる品物の形、大きさ、重さ等に応じて、種々の形状、寸法、個数等に変更して構成することができる。
また本実施形態では、載置部１１３の底壁が容器部１１の底壁１１２となっている。
【００２９】
前記品物用トレー１０のフランジ部１２は、補強用トレー２０を下から品物用トレー１０に嵌め合わせた際に、補強用トレー２０のフランジ部２２に丁度重なるように構成されている。
フランジ部１２には、嵌合用凹凸部１２１が、前記補強用トレー２０の嵌合用凹凸部２２１に対状に対応して、容器部１１の周囲に分散して設けられ、嵌合用凹凸部２２１と相互に着脱自在に嵌合する構成とされている。
本実施形態では、この嵌合用凹凸部１２１は矩形柱状凹部として構成しており、前記補強用トレー２０の円柱状凸部２２１を内接状態に受け入れ、嵌合する。
【００３０】
フランジ部１２には、横ズレ防止手段として第１係止段部１２２が設けられている。この第１係止段部１２２は、前記補強用トレー２０の第１係止段部２２２と対状に用いられるもので、第１係止段部２２２と相互に横方向（水平方向）に当接して係合することで、嵌合された状態での品物用トレー１０の横方向（水平方向）の前後左右のズレを防止する役割を果たしている。具体的には、品物用トレー１０の第１係止段部１２２の外面壁が補強用トレー２０の第１係止段部２２２の内面壁と当接し、品物用トレー１０の水平方向（横方向）の前後左右のズレを防止している。
本実施形態においては、前記第１係止段部１２２は、フランジ部１２の前記嵌合用凹凸部１２１よりも外方に配置され、またフランジ部１２の周囲に亘って、囲繞壁の如く、外方に向かう立ち上がり段部として設けられている。
【００３１】
品物用トレー１０のフランジ部１２には、更に第２係止段部１２３を設けている。この第２係止段部１２３は、前記補強用トレー２０の拡張底部２１３に対応して構成されるものである。即ち、この第２係止段部１２３は、品物用トレー１０のフランジ部１２の上に載せた補強用トレー２０の拡張底部２１３の外面壁と当接し、その位置での水平方向（横方向）のズレを防止する役割をはたす。
この第２係止段部１２３は、本実施形態では、長方形状のフランジ部１２の一対の短手側のフランジ部分の上面に２箇所ずつ分散して、計４箇所に設けている。要するに、容器部１１の周囲に、前記拡張底部２１３に対応して、分散して設けるのが、水平方向（横方向）の前後左右へのズレを防止するのによい。
【００３２】
図５〜図７を参照して、今、品物用トレー１０に対して補強用トレー２０を下方から嵌合すると、品物用トレー１０の容器部１１が補強用トレー２０の容器部２１に収容される。そして品物用トレー１０のフランジ部１２の嵌合用凹凸部（矩形柱状凹部）１２１が補強用トレー２０のフランジ部２２の嵌合用凹凸部（円柱状凸部）２２１と嵌合し、また品物用トレー１０のフランジ部１２の第１係止段部１２２が補強用トレー２０のフランジ部２２の第１係止段部２２２と係合することで、両フランジ部１２、２２とが相互に密接する状態で重合し、且つその位置で相互に横ズレすることなく、安定して一体化する。このとき補強用トレー２０の容器部２１の側壁２１１及び底壁２１２は、品物用トレー１０の容器部１１の側壁１１１及び底壁１１２に外側から近接した状態に配置されることになる。
従って前記品物用トレー１０は、補強用トレー２０により、少なくともフランジ部１２が補強用トレー２０のフランジ部２２とで２重構造とされ、その屈曲に対する強度が大きく向上される。勿論、補強用トレー２０に強度のよい材料を使用し、且つ厚みも増した物を用いれば、一層堅固に補強された品物用トレーとすることができる。
更に品物用トレー１０は、その容器部１１が補強用トレー２０の容器部２１の側壁２１１や底壁２１２によって、近接状態で保護されているので、品物用トレー１０が品物の収納によって撓もうとすると、直ぐに補強用トレー２０の側壁２１１や底壁２１２に接触し、それ以上の屈曲が阻止される。
なお図６には補強用トレー２０の凸条模様２１２ａは現れていないので、品物用トレー１０の容器部１１の底壁１１２と補強用トレー２０の容器部２１の底壁２１２との間隙がかなりあるように見える。しかし実際には、図７に示すように、前記凸条模様２１２ａによって、品物用トレー１０の容器部１１の底壁１１２と補強用トレー２０の容器部２１の底壁２１２は近接しているのがわかる。
【００３３】
図８を参照して、以上のようにして、品物用トレー１０に補強用トレー２０を嵌め合わせてなる嵌め替え式トレー１とすることで、強度よく品物Ｗを収納することができる。
この品物Ｗを収納した嵌め替え式トレー１を積み重ねる場合を説明する。
今、品物Ｗを入れた嵌め替え式トレー１の上に、品物Ｗを入れた次の嵌め替え式トレー１を載せると、上の嵌め替え式トレー１の補強用トレー２０の容器部２１の内、拡張底部２１３だけが、下の嵌め替え式トレー１の品物用トレー１０のフランジ部１２の上に載る。これにより下の嵌め替え式トレー１と上の嵌め替え式トレー１との間に十分な空間が確保され、上の嵌め替え式トレー１が下の嵌め替え式トレー１に収納された品物Ｗの上に直接載ってしまって、積層不良を起こすことが無くなる。
そして前記上の嵌め替え式トレー１の補強用トレー２０の拡張底部２１３の外側壁が、下の嵌め替え式トレー１の品物用トレー１０のフランジ部１２の第２係止段部１２３に当接して、横方向（水平方向）のズレが防止される。よって下の嵌め替え式トレー１の上に載せられた上の嵌め替え式トレー１は、その位置がズレることなく、安定して保持され、崩れることなく積み重ねて行くことができる。
【００３４】
本考案の他の実施形態を図９、図１０を参照して説明する。上記した実施形態では、横ズレ防止手段として第１係止段部１２２、２２２をそれぞれ品物用トレー１０と補強用トレー２０のフランジ部１２、２２に設ける構成としている。しかし本考案の他の実施形態では、横ズレ防止手段として、前記第１係止段部１２２、２２２の代わりに、スカート部１２４、２２４を設けている。即ち、品物用トレー１０の容器部１１のフランジ部１２の外縁から下方に向けて延長されるスカート部１２４を設けている。また補強用トレー２０の容器部２１のフランジ部２２の外縁から下方に向けて延長されるスカート部２２４を設けている。このスカート部１２４とスカート部２２４とを対状に構成することで、品物用トレー１０に対して下から補強用トレー２０が嵌め合わされた際に、両スカート部１２４、２２４が内外に係合して重なり、これによって品物用トレー１０と補強用トレー２０との横方向のズレが確実に予防される。
【００３５】
なお上記したように、品物用トレー１０と補強用トレー２０は、汎用のプラスチック、例えばＰＰ、ＰＥＴ、ＰＶＣ、ＰＳ等の一般に使用されているプラスチックを用いて成形することができる。
勿論、使用するプラスチックは石油由来のプラスチックを用いる場合が多いが、必ずしも石油由来のプラスチックに限定されるものではない。植物等を由来とするバイオプラスチック、更には生分解性プラスチックも含まれるものとする。
また使用するプラスチックは、プラスチック１００％の他、プラスチックを主成分とする材料、プラスチックを有効成分とする材料であってもよい。プラスチックを有効成分とする材料は、材料の中にプラスチックが含まれることによって、真空成形や射出成形が容易に行え、また細部に亘って正確に、繊細な成形を得ることができる材料と言うことができる。
【００３６】
前記プラスチックを有効成分とする材料として、例えばプラスチックに石灰石を混合した材料とすることができる。この材料としては、例えば株式会社ＴＢＭの商品名「ＬＩＭＥＸ」として市販されているものがある。この材料では、石灰石を入れることでプラスチックの量をその分だけ低減することができる。よってプラスチックゴミの問題を低減することができる。
勿論、プラスチックに石灰石を混合した材料は、品物用トレー１０と補強用トレー２０の何れか一方、若しくは両方に用いることができる。
【００３７】
プラスチックに石灰石を混合した材料において、使用するプラスチックは、植物由来のバイオプラスチックとすることができる。更にバイオプラスチックは生分解性プラスチックとすることもできる。このような材料を用いることで、石油由来のプラスチックを用いることなく、容易に分解、リサイクルすることができ、ゴミの問題も解消できる。
このような材料は、品物用トレー１０と補強用トレー２０の何れか一方、若しくは両方に用いることができる。
【００３８】
また前記プラスチックを有効成分とする材料としては、ポリオレフィン系プラスチックにコーンスターチを混合した材料を用いることができる。
植物由来のコーンスターチによりプラスチックの量を減らして、ゴミの問題や二酸化炭素排出の問題を減じることができる。
この材料は、品物用トレー１０と補強用トレー２０の何れか一方、若しくは両方に用いることができる。
【産業上の利用可能性】
【００３９】
本考案の嵌め替え式トレーは、種々の品物を収容して運搬する等の手段として、産業上の利用可能性が大きい。
【符号の説明】
【００４０】
１          嵌め替え式トレー
１０        品物用トレー
１１        容器部
１１１      側壁
１１２      底壁
１１３      載置部
１１４      リブ
１２        フランジ部
１２１      嵌合用凹凸部（矩形柱状凹部）
１２２      第１係止段部
１２３      第２係止段部
１２４      スカート部
２０        補強用トレー
２１        容器部
２１１      側壁
２１１ａ    凹条模様
２１２      底壁
２１２ａ    凸状模様
２１３      拡張底部
２２        フランジ部
２２１      嵌合用凹凸部（円柱状凸部）
２２２      第１係止段部
２２４      スカート部
Ｗ          品物
【図１】
0003223389.tif 000003
【図２】
0003223389.tif 000004
【図３】
0003223389.tif 000005
【図４】
0003223389.tif 000006
【図５】
0003223389.tif 000007
【図６】
0003223389.tif 000008
【図７】
0003223389.tif 000009
【図８】
0003223389.tif 000010
【図９】
0003223389.tif 000011
【図１０】
0003223389.tif 000012